(57)【要約】【課題】グリル扉の前面に直接手が触れるのを防止できるグリルガード及び加熱調理器を提供する。【解決手段】コンロ１は、グリル扉３０のうちガラス板部３２の前面を覆うようにして、グリルガード５０を着脱可能に取り付けることができる。グリルガード５０は、一対の取付部材６０によって、グリル扉３０の前面に取り付けられる。グリル庫１０の使用中、ガラス板部３２は、グリル扉３０のうち比較的高温になり易い。グリルガード５０は、そのようなガラス板部３２の前面を覆うことができるので、ガラス板部３２の前面に手が触れてしまうのを防止できる。これにより、本実施形態は、安全性に配慮したコンロ１を提供できる。【選択図】図１
2019082268.tif 000002
【特許請求の範囲】
【請求項１】
加熱調理器に設けられたグリル庫の開口を開閉するグリル扉の前面への接近を阻害することを特徴とするグリルガード。
【請求項２】
前記グリル扉に取り付けられ、
前記グリル扉の前記前面のうち少なくとも上部を覆うこと
を特徴とする請求項１に記載のグリルガード。
【請求項３】
前記グリル扉の上側には、ガラス部が設けられ、
前記グリル扉に取り付けられた状態では、前記ガラス部の前面との間に隙間が形成されていること
を特徴とする請求項２に記載のグリルガード。
【請求項４】
前記グリル扉の上側には、ガラス部が設けられ、
前記グリル扉に取り付けられた状態において、前記ガラス部の前面を覆うと共に、前記ガラス部に対応する位置に開口部を備えたこと
を特徴とする請求項２又は３に記載のグリルガード。
【請求項５】
前記グリル扉の上側には、ガラス部が設けられ、
前記グリル扉に取り付けられた状態では、
前記ガラス部の周囲のうち、少なくとも右側、左側、及び下側を取り囲むこと
を特徴とする請求項１に記載のグリルガード。
【請求項６】
請求項１から５の何れかに記載のグリルガードを備えたこと
を特徴とする加熱調理器。
【発明の詳細な説明】
【技術分野】
【０００１】
本発明は、グリルガード及び加熱調理器に関する。
【背景技術】
【０００２】
従来、器具の内部に設置されたグリル庫と、当該グリル庫の前面のグリル開口を開閉するグリル扉とを備えたコンロが知られている（例えば、特許文献１参照）。
【先行技術文献】
【特許文献】
【０００３】
【特許文献１】特開２０１４−５４４６５号公報
【発明の概要】
【発明が解決しようとする課題】
【０００４】
グリル庫の使用中、グリル扉の温度が上昇するので、グリル扉の前面に手が触れないように対策を講じる必要があった。
【０００５】
本発明の目的は、グリル扉の前面に直接手が触れるのを防止できるグリルガード及び加熱調理器を提供することである。
【課題を解決するための手段】
【０００６】
請求項１に係る発明のグリルガードは、加熱調理器に設けられたグリル庫の開口を開閉するグリル扉の前面への接近を阻害することを特徴とする。
【０００７】
請求項２に係る発明のグリルガードは、請求項１に記載の発明の構成に加え、前記グリル扉に取り付けられ、前記グリル扉の前記前面のうち少なくとも上部を覆うようにするとよい。
【０００８】
請求項３に係る発明のグリルガードは、請求項２に記載の発明の構成に加え、前記グリル扉の上側には、ガラス部が設けられ、前記グリル扉に取り付けられた状態では、前記ガラス部の前面との間に隙間が形成されているとよい。
【０００９】
請求項４に係る発明のグリルガードは、請求項２又は３に記載の発明の構成に加え、前記グリル扉の上側には、ガラス部が設けられ、前記グリル扉に取り付けられた状態において、前記ガラス部の前面を覆うと共に、前記ガラス部に対応する位置に開口部を備えるとよい。
【００１０】
請求項５に係る発明のグリルガードは、請求項１に記載の発明の構成に加え、前記グリル扉の上側には、ガラス部が設けられ、前記グリル扉に取り付けられた状態では、前記ガラス部の周囲のうち、少なくとも右側、左側、及び下側を取り囲むようにするとよい。
【００１１】
請求項６に係る発明の加熱調理器は、請求項１から５の何れかに記載のグリルガードを備えたことを特徴とする。
【発明の効果】
【００１２】
請求項１に係る発明のグリルガードによれば、グリル扉の前面への接近を阻害するので、グリル扉の前面に手が触れてしまうのを防止できる。
【００１３】
請求項２に係る発明のグリルガードによれば、請求項１に記載の発明の効果に加え、グリル扉の前面の少なくとも上部を覆うことができるので、グリル庫の使用中において、グリル扉の前面に手が触れてしまうのを防止できる。特に、グリル扉の前面のうち最も温度が上昇する上部に触れてしまうのを防止できるので、火傷を未然に防止できる。
【００１４】
請求項３に係る発明のグリルガードによれば、請求項２に記載の発明の効果に加え、グリルガードがグリル扉の前面を覆うようにして取り付けられた状態では、グリルガードとグリル扉の上側に設けられたガラス部の前面との間に隙間が形成されているので、その隙間を断熱層として機能させることができる。これにより、グリル扉のガラス部の前面の熱がグリルガードに伝わり難い構造にできるので、仮にグリルガードに手が接触しても熱く感じることが無い。
【００１５】
請求項４に係る発明のグリルガードによれば、請求項２又は３に記載の発明の効果に加え、グリル扉のガラス部を覆うと共に、そのガラス部に対応する位置に開口部を備えているので、ユーザは、開口部からガラス部を透過して、グリル庫内を視認できる。
【００１６】
請求項５に係る発明のグリルガードによれば、請求項１に記載の発明の効果に加え、グリル庫の使用中、熱くなり易いガラス部の周囲のうち、少なくとも右側、左側、及び下側を取り囲むので、例えば身長の低い子供が側方、又は下方からガラス部に触れようとしても、ガラス部への接触を防止できるので、火傷を未然に防止できる。
【００１７】
請求項６に係る発明の加熱調理器によれば、請求項１から５の何れかに記載のグリルガードを備えているので、請求項１から５の何れかに記載の効果を得ることができる。
【図面の簡単な説明】
【００１８】
【図１】コンロ１から手前に引き出されたグリル扉３０の前面に、グリルガード５０が取り付けられる前の状態を示す斜視図である。
【図２】コンロ１から手前に引き出されたグリル扉３０の前面に、グリルガード５０が取り付けられた状態を示す斜視図である。
【図３】コンロ１のグリル扉３０の前面に、グリルガード５０が取り付けられた状態を示す斜視図である。
【図４】図３に示す矢視方向縦断面図である。
【図５】コンロ１のグリル扉３０の前面に、グリルガード１５０が取り付けられた状態を示す斜視図（第１変形例）である。
【図６】コンロ１のグリル扉３０の前面に、グリルガード２５０が取り付けられた状態を示す斜視図（第２変形例）である。
【図７】コンロ１のグリル扉３０の前面に、グリルガード３５０が取り付けられた状態を示す斜視図（第３変形例）である。
【図８】コンロ１のグリル扉３０の前面に、グリルガード４５０が取り付けられた状態を示す斜視図（第４変形例）である。
【発明を実施するための形態】
【００１９】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。
【００２０】
図１を参照し、コンロ１の構造を説明する。コンロ１は、グリル付きテーブルコンロである。コンロ１は、筐体２と天板３を備える。筐体２は、上部が開口する略直方体状に形成されている。天板３は、筐体２の開口する上部にネジ（図示略）で固定されている。天板３の上面右側には、右コンロバーナ５、上面左側には左コンロバーナ６が設けられている。天板３の上面後端側の左右方向の略中央部には、グリル排気口７が設けられている。グリル排気口７は、筐体２内に設置されたグリル庫１０（図４参照）内の燃焼によって生じた燃焼ガスを外部に排出する。
【００２１】
筐体２の前面２１の左右方向の略中央部には、グリル用の開口部２５が設けられている。開口部２５の内側には、グリル庫１０の前側に設けられたグリル開口（図示略）が配置される。開口部２５には、グリル扉３０が前後方向に移動可能に設けられている。グリル扉３０は、下側受け部３１とガラス板部３２（本発明の「ガラス部」に相当）を備える。下側受け部３１は、グリル扉３０の下側に設けられ、その前面には、前方に張り出した取手部３５が設けられている。下側受け部３１は樹脂製である。ガラス板部３２は、グリル扉３０の上側に設けられ、正面視略矩形状に形成されている。ガラス板部３２は、上端部から下端部にかけてやや下り傾斜した姿勢で支持されている。ガラス板部３２は中央部に、グリル庫１０内を視認可能な窓部３２Ａを備える。窓部３２Ａは、例えば印刷で形成してもよい。ガラス板部３２の下端部は、下側受け部３１の上端部の内側に差し込まれている。ガラス板部３２の下端部と、下側受け部３１の上端部の縁部との間には、左右方向に延びる僅かな隙間３８が形成されている。
【００２２】
グリル扉３０の背面側には、金属製の押え板３９が設けられている。押え板３９は、ガラス板部３２の背面周囲を後方から支持する。ガラス板部３２の上端部には、樹脂カバー３７が固定されている。樹脂カバー３７は、耐熱性樹脂で形成され、ガラス板部３２の上端部を覆う。樹脂カバー３７の前端部は、ガラス板部３２の前面に沿って下方に垂下する垂下部３７Ａを有する。垂下部３７Ａは、ガラス板部３２の前面上部を前方から係止する。垂下部３７Ａの下端部には、左右方向に離間する一対のスリット４１が設けられている。一対のスリット４１は、下方に開口を向けた細孔である。なお、一対のスリット４１の離間距離は、後述するグリルガード５０に固定された一対の取付部材６０の離間距離に対応している。このようなグリル扉３０の取手部３５を手前側に引き出すと、グリル扉３０の背面下部に連結した受皿１７と焼き網１８を、グリル庫１０内から同時に取り出すことができる。
【００２３】
筐体２の前面２１において、グリル扉３０の右側には、ツマミ１１，１２が設けられている。グリル扉３０の左側には、ツマミ１３が設けられている。ツマミ１１〜１３は押し回し式である。ツマミ１１は、右コンロバーナ５を点火する場合に、正面視反時計回りに約９０°押し回しされる。点火後は、時計回りに回動させることによって、火力が大火力から小火力に調節される。ツマミ１１を点火前の位置に戻すと、右コンロバーナ５が消火される。なお、ツマミ１２と１３の操作方法は、ツマミ１１と同じである。ツマミ１２は、グリル庫１０内に設けられるグリルバーナ（図示略）を点火する場合に押し回しされる。ツマミ１３は、左コンロバーナ６を点火する為に押し回しされる。ツマミ１３の左側には、電池ボックス１４が設けられている。電池ボックス１４は、コンロ１に電源を供給する乾電池（図示略）を格納する。
【００２４】
上記構成を有するコンロ１において、グリル扉３０のガラス板部３２の前面には、火傷防止の為のグリルガード５０が着脱自在に取り付けられる。
【００２５】
図１を参照し、グリルガード５０の構造を説明する。グリルガード５０は、耐熱性樹脂で形成された板材であって、正面視左右方向にやや長い略矩形状に形成されている。グリルガード５０の大きさは、ガラス板部３２の前面を覆うことができる大きさに形成され、好ましくは、ガラス板部３２の前面よりもやや大きいのがよい。グリルガード５０の左右両端部は後方に折り返されている。これにより、ガラス板部３２の左右両端部も側方から覆うことができる。グリルガード５０の背面側には、一対の取付部材６０が左右方向に離間する位置に固定されている。取付部材６０は、例えば、金属の板材をプレス加工で折り曲げることによって形成され、固定部６１、上側取付片６２、下側取付片６３等を備える。固定部６１は、側面視後方に開口する略コの字型に形成されている。固定部６１の外側である前面は、グリルガード５０の背面に接着剤等で固定されている。上側取付片６２は、固定部６１の上側の後方に突出する後端部から上方に延び、背面視略矩形状に形成されている。下側取付片６３は、固定部６１の下側の後方に突出する後端部から下方に延び、背面視略矩形状に形成されている。
【００２６】
図１〜図４を参照し、グリルガード５０の取付方法の一例を説明する。先ず、グリル扉３０を手前に引き出した状態で、ガラス板部３２の前面に対し、グリルガード５０の背面側を向けた状態で配置する。そして、グリルガード５０の背面側の一対の取付部材６０の夫々の下側取付片６３の下端部を、ガラス板部３２の下端部と、下側受け部３１の上端部の縁部との間に形成された隙間３８に上方から差し込む（図１，図４参照）。これにより、取付部材６０の下端部が先に位置決めされる。次いで、一対の取付部材６０の夫々の上側取付片６２の上端部を、樹脂カバー３７の垂下部３７Ａの下端部に設けられた一対のスリット４１に下方から差し込む。このとき、取付部材６０は可撓性であるので、例えば、上側取付片６２をしならせながら一対のスリット４１に下方から差し込むことができる。これにより、取付部材６０の上端部が位置決めされる（図４参照）。このようにして、図２に示すように、グリルガード５０が、ガラス板部３２の前面を覆うようにしてグリル扉３０に取り付けられる。
【００２７】
図４に示すように、グリル扉３０の前面に、グリルガード５０が取り付けられた状態では、ガラス板部３２の前面と、グリルガード５０の背面との間には、隙間７０（本発明の「隙間」に相当）が形成される。隙間７０は、取付部材６０の固定部６１の略コの字形状によって形成される。つまり、グリルガード５０は、一対の取付部材６０によって、ガラス板部３２の前面との間に隙間７０を空けた状態で支持される。隙間７０は、ガラス板部３２とグリルガード５０との間に挟まれる断熱層として機能する。これにより、ガラス板部３２の前面の熱がグリルガード５０に伝わり難くい構造にできる。なお、グリルガード５０をグリル扉３０から取り外す場合、ユーザは、取り付け時の操作手順と逆の操作手順を行えばよい。
【００２８】
グリルガード５０の効果を説明する。ユーザは、グリルガード５０が前面に取り付けられたグリル扉３０を、コンロ１の前面２１の開口部２５に向けて押し込み、開口部２５を閉じる（図３参照）。この状態で、ツマミ１２を押し回し、グリルバーナに点火すると、グリル庫１０内の焼き網上に載置された被調理物が加熱される。グリル庫１０内の空気は、グリルバーナからの燃焼ガスによって加熱され、その温度は上昇する。これに伴い、グリル扉３０の背面側の温度が上昇する。高温空気はグリル庫１０内部を上方に移動するので、グリル扉３０のうち上部が他部位に比べて比較的高温になり易い。また、ガラス板部３２は、熱伝導率が樹脂に比べて高いので、比較的高温になり易い。このようなグリルの使用状態において、本実施形態のコンロ１では、ガラス板部３２の前面にグリルガード５０を取り付けることによって、グリル庫１０の使用中に、高温になり易いガラス板部３２の前面に手が触れてしまうのを防止できるので、火傷を未然に防止できる。また、上記の通り、ガラス板部３２の前面と、グリルガード５０の背面との間には隙間７０が形成され、その隙間７０が断熱層として機能することから、仮にグリルガード５０に手が接触しても熱く感じることが無い。また、グリルガード５０は耐熱性樹脂によって形成されているので、グリルガード５０の温度上昇を更に抑制できる。
【００２９】
以上説明したように、本実施形態のコンロ１は、グリル扉３０のうちガラス板部３２の前面にグリルガード５０を着脱可能に取り付けることができる。グリル庫１０の使用中、ガラス板部３２は、グリル扉３０のうち比較的高温になり易い部位である。グリルガード５０は、そのようなガラス板部３２の前面を覆うことができるので、グリル庫１０の使用中、ガラス板部３２の前面に直接手が触れてしまうのを防止できる。よって、本実施形態は、コンロ１の安全性を向上できる。また、幼い子供は、大人に比べて身長が低いため、子供の目線は、キッチンのカウンタに設置されたコンロ１と同じ、若しくはそれ以下の位置になることが多い。コンロ１の前面２１には、グリル扉３０が位置することから、例えば、子供の体の一部が不意にガラス板部３２の前面に触れてしまう可能性がある。特に８〜２５か月の幼児がつかまり立ち、つたい歩きをすることによって、グリル扉３０のガラス板部３２の前面に接触する可能性もある。本実施形態は、そのような高温になり易いガラス板部３２の前面をグリルガード５０で覆うことで、ガラス板部３２の前面に直接触れてしまうのを確実に防止できる。これにより、大人から子供まで安全性に配慮したコンロ１を提供できる。
【００３０】
なお、本発明は上記実施形態に限定されるものではなく、種々の変更が可能である。上記実施形態のグリルガード５０は、グリル扉３０の前面のうちガラス板部３２の前面を覆うものであるが、例えば、下側受け部３１も含めてグリル扉３０の前面を全て覆ってもよい。好ましくは、グリル扉３０のうち比較的高温になり易い上部を少なくとも含むとよい。
【００３１】
上記実施形態のグリルガード５０は、一対の取付部材６０によって、グリル扉３０に着脱可能に取り付けているが、その他の方法で取り付けるようにしてもよい。取付部材６０の個数、形状等についても上記実施形態に限定されない。また、グリルガードを、グリル扉３０の前面に接着剤等で固定するようにしてもよい。また、グリルガードを、グリル扉３０の前面に一体化して形成してもよい。また、グリルガード５０の背面に固定された一対の取付部材６０の代わりに、例えば、ガラス板部３２の背面側に引っ掛け保持するようなフック等を設けることで、種々のタイプのグリル扉にも取り付けできるようにしてもよい。
【００３２】
また、上記実施形態のグリルガード５０は、グリル扉３０の前面に対して着脱可能になっているが、例えば、グリルガードの上端部若しくは側端部（右端部又は左端部）を、ガラス板部３２の上縁部若しくは側縁部にヒンジで軸支することによって、グリルガードをガラス板部３２の前面に対して開閉可能にしてもよい。これにより、例えば、グリル庫１０内を視認したい場合に、グリルガードを開くことによって、ガラス板部３２を介して、グリル庫１０内を視認できる。
【００３３】
本発明のグリルガードは、例えば、以下の第１〜３変形例であってもよい。
［第１変形例］
例えば、図５に示すように、グリルガード１５０の略中央部に、窓部１５１(本発明の「開口部」に相当）を設け、該窓部１５１とガラス板部３２を介して、グリル庫１０内を視認できるようにしてもよい。窓部１５１は前後方向に貫通する正面視左右方向に長い略矩形状の開口部であり、例えば、ガラス板部３２の窓部３２Ａの位置、形状に対応させるとよい。グリルガード１５０の背面において、窓部１５１の上側には、左右方向に離間する一対の取付部材１６０が固定され、窓部１５１の下側には、左右方向に離間する一対の取付部材１６１が固定されている。一対の取付部材１６１は、ガラス板部３２の下端部と、下側受け部３１の上端部の縁部との間に形成された隙間３８に上方から差し込まれる。一対の取付部材１６０は、樹脂カバー３７の垂下部３７Ａの下端部に設けられた一対のスリット４１に下方から差し込まれる。これにより、窓部１５１を有するグリルガード１５０であっても、グリル扉３０の前面に着脱可能に取り付けることができる。
【００３４】
［第２変形例］
上記実施形態のグリルガード５０は、ガラス板部３２の前面を覆うものであるが、グリル扉３０の前面への接近を阻害する形状であればよく、例えば、図６に示すグリルガード２５０をグリル扉３０に着脱可能に取り付けてもよい。グリルガード２５０は、正面視上方に開口する略コの字型であって、ガラス板部３２の周囲のうち右側、左側、下側を取り囲む。これにより、例えば、身長の低い幼い子供が側方、又は下方からガラス板部３２の前面に触れようとしても、ガラス板部３２への接触を防止できるので、火傷を未然に防止できる。
【００３５】
グリルガード２５０は、例えば、略水平に延びる下板部２５１、該下板部２５１の左右両端から上方に略垂直に延びる右板部２５２及び左板部２５３等を備える。下板部２５１の右端部と右板部２５２の下端部が互いに接続する後側の角部には、下方に突出する軸部２５５が設けられている。下板部２５１の左端部と左板部２５３の下端部が互いに接続する後側の角部には、下方に突出する軸部２５６が設けられている。右板部２５２及び左板部２５３の夫々の後端部には、ガラス板部３２の背面側に側方から引っ掛けるフック（図示略）が設けられている。
【００３６】
グリルガード２５０をグリル扉３０の前面に取り付ける際、例えば、グリル扉３０を前方に引き出した状態で（図１参照）、グリルガード２５０の下側の一対の軸部２５５，２５６を、ガラス板部３２の下端部と、下側受け部３１の上端部の縁部との間に形成された隙間３８（図１，図４参照）に上方から差し込む。次いで、グリルガード２５０の後端部をガラス板部３２側に押し当て、ガラス板部３２の背面側に左右両側からフックを引っ掛ける。これにより、ガラス板部３２の周囲を取り囲むようにして、グリルガード２５０が取り付けられる。
【００３７】
なお、グリルガード２５０の右板部２５２及び左板部２５３の夫々の上端部の間に、上板部を掛け渡してもよい。グリルガード２５０の材質は限定しないが、耐熱性樹脂が好ましい。また、例えば、右板部２５２及び左板部２５３を下板部２５１の上面に対して折り畳み、さらに下板部２５１を右板部２５２及び左板部２５３と共に、ガラス板部３２に沿わせるようにして折り畳めるようにしてもよい。この場合、グリルガード２５０は前方に突出しないので、グリル庫１０を使用しないときに折り畳むことによって、コンパクトにできる。
【００３８】
［第３変形例］
上記実施形態のグリルガード５０は耐熱性樹脂で板状に形成されているが、例えば、図７に示すように、金属網で形成したグリルガード３５０を、グリル扉３０に着脱可能に取り付けてもよい。これによっても、グリル扉３０のガラス板部３２の前面に手が触れてしまうのを防止できる。また、金属網に手が触れたときの接触面積は、ガラス板部３２の前面に手が触れたときの接触面積に比べ小さくなる。これにより、仮に手がグリルガード３５０に触れてしまっても熱く感じることはないが、金属網で形成されていることから、耐熱性樹脂に比べて少々熱く感じる。このことを利用し、仮にグリルガード３５０に触れたときに、グリル庫１０が使用中であり、グリル扉３０が高温になっていることを注意喚起することができる。なお、グリルガード３５０の取付方法については、種々の方法を採用でき、例えば上記実施形態と同様の方法を用いてもよい。
【００３９】
［第４変形例］
図８に示すように、グリルガード４５０の右側に、略矩形状の小窓部４５１(本発明の「開口部」に相当）と、その小窓部４５１を開閉するシャッタ４５２とを設けてもよい。シャッタ４５２は、左右方向にスライド可能に設けられる。これにより、例えば、グリル庫１０内のグリルバーナの点火確認等を行う場合、シャッタ４５２を左方向にスライドさせて小窓部４５１を開き、点火確認後はシャッタ４５２を右方向にスライドさせて小窓部４５１を閉じることができる。このように、ユーザの必要に応じて小窓部４５１を開き、グリル庫１０内を確認できる。なお、小窓部４５１を開閉する機構は、シャッタ４５２に限らず、例えば、小窓部４５１に隣接する位置に、扉部材をヒンジで回動可能に軸支するようにしてもよい。また、小窓部４５１の形状、大きさは適宜変更可能である。
【００４０】
なお、本実施形態では、コンロ１を例示したが、ガス器具に限らず、電磁調理器等の種々の加熱調理器にも適用可能である。また、グリル庫のみを備えたガス調理器にも適用できる。また、コンロ１はテーブルコンロであるが、ビルトインコンロであってもよい。コンロバーナの数についても限定されない。
【００４１】
上記実施形態のグリルガード５０は、グリル扉３０に直接取り付けるものであるが、例えば、筐体２側に取り付けてもよい。この場合、グリル扉３０を閉じた場合に可動させ、グリル扉３０の前面を覆う等して、グリル扉３０の前面への接触を阻害するようにしてもよい。
【符号の説明】
【００４２】
１    コンロ
１０    グリル庫
３０    グリル扉
３２    ガラス板部
５０    グリルガード
７０    隙間
１５０    グリルガード
１５１    窓部
２５０    グリルガード
３５０    グリルガード
４５０    グリルガード
【図１】
2019082268.tif 000003
【図２】
2019082268.tif 000004
【図３】
2019082268.tif 000005
【図４】
2019082268.tif 000006
【図５】
2019082268.tif 000007
【図６】
2019082268.tif 000008
【図７】
2019082268.tif 000009
【図８】
2019082268.tif 000010